(57)【要約】【課題】砂地畑の砂が雨水によって流出することを阻止する砂止め柵を簡単且つ安価に構築できるようにすると共に、その砂止め柵の維持管理に要する労力と費用を軽減する。【解決手段】砂止め柵構築用ユニットが、砂地畑の縁に沿って横方向に連結して設置可能な止水板（１）と、当該止水板間に間隔を設けてその間に介装させる砂濾し用のストレーナ（２）と、当該ストレーナの左右両端を止水板の側端部に接合させる左右一対のジョイント（３Ｒ、３Ｌ）とで構成され、砂濾し用のストレーナ（２）が、プラスチックフィラメントを絡み合わせてマット状に成形したフィラメントマット（Ｍ）で形成されている。【選択図】図５
0003158563.tif 000002
【実用新案登録請求の範囲】
【請求項１】
砂地畑の砂が雨水によって流出することを阻止する砂止め柵構築用ユニットにおいて、砂地畑の縁に沿って横方向に連結して設置可能な止水板と、当該止水板間に間隔を設けてその間に介装させる砂濾し用のストレーナと、当該ストレーナの左右両端を前記止水板の側端部に接合させる左右一対のジョイントとで構成され、前記ストレーナが、プラスチックフィラメントを絡み合わせてマット状に成形したフィラメントマットで形成されていることを特徴とする砂止め柵構築用ユニット。
【請求項２】
前記ストレーナが、塩化ビニル系樹脂、塩化ビニリデン系樹脂もしくはポリアミド系樹脂で成る繊維径０．４〜０．８ｍｍのプラスチックフィラメントを三次元立体的に絡み合わせてマット状に成形した縦３００〜６００ｍｍ、横１５０〜２５０ｍｍ、厚さ５〜１０ｍｍ、空隙率５０〜７０％のフィラメントマットで形成されている請求項１記載の砂止め柵構築用ユニット。
【請求項３】
前記止水板が、横方向に波付けした縦３００〜６００ｍｍ、横１０００〜１４００ｍｍ、厚さ３〜５ｍｍのプラスチック製波板で成り、その左右側端部に、当該波板同士を横方向に連結可能とするための継手が形成されている請求項１又は２記載の砂止め柵構築用ユニット。
【請求項４】
前記ジョイントが、前記ストレーナの片面側からその側端部に沿わせる本体プレートと、前記ストレーナの他面側からその側端部に沿わせる押えプレートと、これら両プレートとその間に挟まれた前記ストレーナの側端部とを共締めして一体化させる止め具とで構成され、前記本体プレートの側端部に、前記止水板の側端部と接合するための継手が形成されている請求項１、２又は３記載の砂止め柵構築用ユニット。
【考案の詳細な説明】
【技術分野】
【０００１】
本考案は、サツマイモ、ヤマイモ、サトイモ、エビイモ、ニンジン、ゴボウ、ダイコン等の根菜類や水はけの良い土壌を好むスイカ等を栽培する砂地畑の砂が雨水によって流出することを阻止する柵を構築するために用いる砂止め柵構築用ユニットに関する。
【背景技術】
【０００２】
徳島県の吉野川下流域に分布する約1000haの砂地畑では、夏作として特産品のサツマイモ「なると金時」、冬作として約500haでダイコンが栽培されており、それらサツマイモとダイコンの青果用としての品質の高さは日本有数であるが、その高品質と安定した収量を維持・確保するために、スプリンクラー等の灌水装置と、降雨時の排水を促進させる暗渠排水パイプとを設置して、土壌水分を適切に管理すると共に、数年毎に「手入れ砂」と呼ばれる粗粒質の海砂を10ａ当り約40〜50ｍ３客土して、土壌の排水性・通気性を改善するようにしている。また、香川県の坂出地域に分布する砂地畑では、特産品のニンジン「金時にんじん」が栽培されているが、その砂地畑においても数年毎に手入れ砂を客土することとしている。
【０００３】
しかしながら、近年は、瀬戸内海の環境保全のためにその沿岸各県が挙って海砂の採取を禁止・規制していることから、「なると金時」や「金時にんじん」の栽培農家は、手入れ砂として使用する海砂を地元や近隣から安価に入手することが困難となっている。
【０００４】
そのため、海砂で成る手入れ砂の代替品として、海水から塩化ナトリウムを分離して食塩を製造する工程で発生する製塩ニガリが添加された砕石砂または川砂で成る手入れ砂も提案されているが（特許文献1参照）、実用化には至っていない。
【０００５】
また、徳島県では、国（国土交通省四国地方整備局徳島河川国道事務所）と連携して取り組む「吉野川の恵み協働プロジェクト」の一環として、徳島県が全国に誇るブランド農産物「なると金時」の育成を支援する「なると金時プロジェクト」を立ち上げ、その「なると金時」の栽培に欠かせない手入れ砂として、吉野川水系で採取される川砂・川砂利を平成１９年度から２３年度までの５年間にわたり試験的に使用する施策を講じているが、その川砂・川砂利の年間使用量は、徳島県知事、徳島砂・砂利採取共同組合理事長、徳島県手入れ砂対策協議会会長の３者協定によって、平成１９年度が約１００００ｍ３、平成２０年度〜２３年度が夫々約２００００ｍ３に制限されている。
【０００６】
このように、行政も農家が手入れ砂として使用する砂を入手しやすくする施策を講じているが、その使用量には一定の制限がある。また、台風や集中豪雨によって、砂地畑の地中に埋設された暗渠排水パイプの排水容量を超える多量の降雨があると、砂地畑から溢流する雨水と共に多量の砂が流出するため、その流出量に相当する分量の砂を購入して畑に補充しなければならず、農家の経済的負担が増大するという問題があった。更に、砂地畑から流出した砂が、周辺の道路に積って車のスリップ事故を誘発したり、農業用水路・排水路や道路側溝に堆積して砂詰りを生じさせるなどのおそれもあった。
【０００７】
そこで、砂地畑の砂が雨水によって流出することを阻止するために、その砂を堰き止めて雨水だけを透過させる機能を奏するポーラスコンクリートで成形された幅約３００ｍｍ、高さ約６００ｍｍのコンクリートブロックを砂地畑の縁に沿って並べるように設置して砂止め柵を構築する試みも行われている。
【０００８】
しかし、ポーラスコンクリートブロックは、セメントペーストに粗骨材が添加されて水分通路となる内径１〜３ｍｍ程度の連続空隙が無数に形成されたものであるが、その連続空隙内に雨水と共に侵入する砂やゴミなどが堆積すると、目詰まりを生じて透水性が低下し（特許文献２参照）、砂地畑に降り溜まる雨水を透過させて砂地畑の外へ排出させる機能が低下するため、降雨時における砂地畑の水はけが悪くなる。
【０００９】
したがって、砂地畑に設置されて目詰まりを生じたポーラスコンクリートブロックは、その目詰まりを解消して透水性を回復させるために、砂地畑から一旦撤去して高圧洗浄機等を備えた再生処理施設に移送しなければならないという面倒があり、当該コンクリートブロックで構築した砂止め柵の維持管理費も嵩むという問題がある。
【００１０】
また、重量のあるポーラスコンクリートブロックを砂地畑から撤去して再生処理施設に移送する作業や、再生処理した当該コンクリートブロックを砂地畑に設置して砂止め柵を再構築する作業は、労力の負担も大きい。
【００１１】
また、砂止め柵を構築するポーラスコンクリートブロックは、互いに連結されずに、砂地畑の縁に沿って並べて設置されるだけであるから、隣接するポーラスコンクリートブロック間に隙間が生じ、その隙間から雨水と共に砂が流出するなどの不具合も生ずる。そのため、ポーラスコンクリートブロックによって砂止め柵を構築する手段は、一般に普及するには至っていない。
【先行技術文献】
【特許文献】
【００１２】
【特許文献１】特開２００２−１１９１３２号公報
【特許文献２】特開２００５−２４８６０１号公報
【考案の概要】
【考案が解決しようとする課題】
【００１３】
本考案は、砂地畑の砂が雨水によって流出することを確実に阻止し得る砂止め柵を簡単且つ安価に構築できるようにすると共に、その砂止め柵の維持管理に要する費用と労力を軽減することを技術的課題としている。
【課題を解決するための手段】
【００１４】
上記課題を解決するために、本考案は、砂地畑の砂が雨水によって流出することを阻止する砂止め柵構築用ユニットにおいて、砂地畑の縁に沿って横方向に連結して設置可能な止水板と、当該止水板間に間隔を設けてその間に介装させる砂濾し用のストレーナと、当該ストレーナの左右両端を前記止水板の側端部に接合させる左右一対のジョイントとで構成され、前記ストレーナが、プラスチックフィラメントを絡み合わせてマット状に成形したフィラメントマットで形成されていることを特徴とする。
【考案の効果】
【００１５】
本考案に係る砂止め柵構築用ユニットは、止水板を砂地畑の縁に沿って設置すると共に、任意のピッチで止水板間に間隔を設けてその間に砂濾し用のストレーナを介装させ、当該ストレーナの左右両端をその左右に隣接する止水板の側端部に対して左右一対のジョイントで接合することにより、砂地畑の砂が雨水によって流出することを阻止する砂止め柵を簡単且つ安価に構築することができる。
【００１６】
上記の如くして構築された砂止め柵は、砂地畑の表面に降り溜まる雨水を止水板間に介装された砂濾し用のストレーナを通じて砂地畑の外へ流出させるので、砂地畑からの砂の流出を確実に阻止することができる。
【００１７】
また、砂濾し用のストレーナは、プラスチックフィラメントを絡み合わせてマット状に成形したフィラメントマットで形成されているから、軽量・安価で耐久性も良いうえ、そのフィラメントマットに砂やゴミが付着して目詰まりを生じたときは、ストレーナの左右両端をその左右に隣接する止水板の側端部に接合しているジョイントと共に止水板から取り外して、フィラメントマットの部分を手や棒切れ等で叩くだけで、当該フィラメントマットに付着した砂やゴミをその場で叩き落として目詰まりを簡単に解消することができるから、砂止め柵の維持管理に要する労力や費用が著しく軽減される。
【図面の簡単な説明】
【００１８】
【図１】本考案の実施例に係る砂止め柵構築用ユニットの使用状態を示す斜視図。
【図２】本考案の実施例に係る砂止め柵構築用ユニットの使用状態を拡大して示す斜視図。
【図３】本考案の実施例に係る砂止め柵構築用ユニットの構成部品を示す平面図。
【図４】本考案の実施例に係る砂止め柵構築用ユニットを構成するストレーナにジョイントが取り付けられた状態を示す平面図。
【図５】本考案の実施例に係る砂止め柵構築用ユニットの組立状態を示す平面図。
【図６】本考案の実施例に係る砂止め柵構築用ユニットを構成するジョイントの本体プレートを示す斜視図。
【図７】本考案の実施例に係る砂止め柵構築用ユニットを構成するジョイントの押えプレートを示す正面図（ａ）及び側面図（ｂ）。
【図８】本考案の実施例に係る砂止め柵構築用ユニットを構成するジョイントの本体プレートを示す斜視図。
【考案を実施するための形態】
【００１９】
本考案に係る砂止め柵構築用ユニットの実施形態は、砂地畑の縁に沿って横方向に連結して設置可能な止水板と、当該止水板間に間隔を設けてその間に介装させる砂濾し用のストレーナと、当該ストレーナの左右両端を止水板の側端部に接合させる左右一対のジョイントとで構成されている。
【００２０】
砂濾し用のストレーナは、ポリ塩化ビニル等の塩化ビニル系樹脂、ポリ塩化ビニリデン等の塩化ビニリデン系樹脂もしくはナイロン（商品名）等のポリアミド系樹脂で成る繊維径０．４〜０．８ｍｍのプラスチックフィラメントを三次元立体的に絡み合わせてマット状に成形した縦３００〜６００ｍｍ、横１５０〜２５０ｍｍ、厚さ５〜１０ｍｍ、空隙率５０〜７０％のフィラメントマットで形成されて、雨水を円滑に透過させると同時にその雨水に含まれた砂を効果的に濾し取ることができるようになっている。
【００２１】
また、止水板は、横方向に波付けして強度が補強された縦３００〜６００ｍｍ、横１０００〜１４００ｍｍ、厚さ３〜５ｍｍのプラスチック製波板で成り、その左右側端部に、当該波板同士を横方向に連結可能とするための継手が形成されている。
【００２２】
また、ストレーナの左右両端を止水板の側端部に接合させるジョイントは、ストレーナの片面側からその側端部に沿わせる本体プレートと、ストレーナの他面側からその側端部に沿わせる押えプレートと、これら両プレートとその間に挟まれたストレーナの側端部とを共締めして一体化させるリベット等の止め具とで構成され、前記本体プレートの側端部に、止水板の側端部と接合するための継手が形成されている。
【実施例】
【００２３】
図１及び図２の如く砂地畑に設置される砂止め柵Ｓは、図３に示す砂止め柵構築用ユニットによって構築されており、当該ユニットは、砂地畑の縁に沿って横方向に連結して設置可能な止水板１と、当該止水板１、１間に間隔を設けてその間に介装させる砂濾し用のストレーナ２と、当該ストレーナ２の左右両端を止水板１、１の側端部に接合させる左右一対のジョイント３Ｒ、３Ｌとで構成されている。
【００２４】
砂濾し用のストレーナ２は、ポリ塩化ビニル樹脂で成る繊維径約０．６ｍｍのプラスチックフィラメント４を三次元立体的に絡み合わせてマット状に成形した縦約４００ｍｍ、横約２００ｍｍ、厚さ約７ｍｍ、空隙率約６０％のフィラメントマットＭで形成されている。
【００２５】
止水板１は、横方向に波付けした縦約４００ｍｍ、横約１２００ｍｍ、厚さ約３．５〜４．０ｍｍのポリエチレン樹脂製波板で成り、その左側端部と右側端部に沿って、当該波板同士を横方向に連結可能とするためのオス継手５とメス継手６が形成されている。
【００２６】
ジョイント３Ｒは、フィラメントマットＭで成るストレーナ２の片面側からその右側端部に沿わせるＡＢＳ樹脂製の本体プレート７と、ストレーナ２の他面側からその右側端部に沿わせるＡＢＳ樹脂製の押えプレート８と、これら両プレート７及び８とその間に挟まれたストレーナ２の右側端部とを共締めして一体化させる止め具となるリベット９とで構成されている。
【００２７】
ジョイント３Ｒの本体プレート７は、図６に示す斜視図の如く、その長手方向に沿って一定の間隔で、リベット９を挿し通す複数の穴１０、１０…が形成されると共に、ストレーナ２を形成するフィラメントマットＭに突き刺す複数のアンカーピン１１、１１…が形成され、更に、その本体プレート７の右側端部に沿って、止水板１の左側端部に形成されたオス継手５と連結して当該止水板の左側端部と接合するためのメス継手１２が形成されている。
【００２８】
ジョイント３Ｒの押えプレート８は、図７（ａ）に示す正面図及び同図（ｂ）に示す側面図の如く、その長手方向に沿って一定の間隔で、リベット９を挿し通す複数の穴１３、１３…が本体プレート７の穴１０、１０…と対応する位置に形成されると共に、ストレーナ２を形成するフィラメントマットＭに突き刺す複数のアンカーピン１４、１４…が形成されている。
【００２９】
ジョイント３Ｌは、ストレーナ２の片面側からその左側端部に沿わせるＡＢＳ樹脂製の本体プレート１５と、ストレーナ２の他面側からその左側端部に沿わせるＡＢＳ樹脂製の押えプレート８と、これら両プレート１５及び８とその間に挟まれたストレーナ２の左側端部とを共締めして一体化させるリベット９とで構成されている。
【００３０】
ジョイント３Ｌの本体プレート１５は、図８に示す斜視図の如く、その長手方向に沿って一定の間隔で、リベット９を挿し通す複数の穴１６、１６…が形成されると共に、ストレーナ２を形成するフィラメントマットＭに突き刺す複数のアンカーピン１７、１７…が形成され、更に、その本体プレート１５の左側端部に沿って、止水板１の右側端部に形成されたメス継手６と連結して当該止水板の右側端部と接合するためのオス継手１８が形成されている。なお、ジョイント３Ｌの押えプレート８は、図７（ａ）及び（ｂ）に示すジョイント３Ｒの押えプレート８と同一のものである。
【００３１】
しかして、図３の砂止め柵構築用ユニットによって図１の如き砂止め柵Ｓを構築するときは、図４の如く砂濾し用のストレーナ２の左右両端に予めジョイント３Ｒ、３Ｌを取り付けておく。そして、砂地畑の縁に沿って設置する止水板１、１間に間隔を設けて、その一方の止水板１に形成されたオス継手５に、ストレーナ２の片端側に取り付けたジョイント３Ｒのメス継手１２を連結すると同時に、他方の止水板１に形成されたメス継手６に、ストレーナ２の他端側に取り付けたジョイント３Ｌのオス継手１８を連結して、図５の如く止水板１、１間にストレーナ２を介装させる。
【００３２】
これにより、砂地畑に降り溜まる雨水は、止水板１、１間に介装された砂濾し用のストレーナ２を通じて砂地畑の外へ排出されることとなるから、砂地畑の砂が雨水と共に流出することが阻止される。
【００３３】
また、砂濾し用のストレーナ２を形成するフィラメントマットＭに砂やゴミが付着して目詰まりが生じたときは、ストレーナ２をその両端に取り付けられたジョイント３Ｒ、３Ｌと共に止水板１、１から取り外して、フィラメントマットＭの部分を手や棒切れ等で殴打したり、あるいはバケツの汲み水やホースの流水によって水洗いするだけで、フィラメントマットＭに付着した砂やゴミを払拭させて簡単に目詰まりを解消することができる。
【産業上の利用可能性】
【００３４】
本考案は、サツマイモやニンジン等を栽培する砂地畑の砂が雨水によって流出することを阻止する砂止め柵を簡単且つ安価に構築できるようにすると共に、その砂止め柵の維持管理に要する労力と費用を軽減するものである。
【符号の説明】
【００３５】
Ｓ…砂止め柵
１…止水板
２…砂濾し用のストレーナ
３Ｒ…ジョイント
３Ｌ…ジョイント
４…プラスチックフィラメント
Ｍ…フィラメントマット
５…止水板のオス継手
６…止水板のメス継手
７…ジョイントの本体プレート
８…ジョイントの押えプレート
９…リベット（止め具）
１０…穴
１１…アンカーピン
１２…メス継手
１３…穴
１４…アンカーピン
１５…ジョイントの本体プレート
１６…穴
１７…アンカーピン
１８…オス継手
【図１】
0003158563.tif 000003
【図２】
0003158563.tif 000004
【図３】
0003158563.tif 000005
【図４】
0003158563.tif 000006
【図５】
0003158563.tif 000007
【図６】
0003158563.tif 000008
【図７】
0003158563.tif 000009
【図８】
0003158563.tif 000010